(57)【特許請求の範囲】
【請求項１】
第１の被照明部材と第２の被照明部材とが並設された照明装置において、
前記第１の被照明部材に第１の照明光を供給する第１の光源と、
前記第２の被照明部材に第２の照明光を供給する第２の光源と、
前記第１の照明光を前記第１の被照明部材に導くための第１の照明空間部と前記第２の照明光を前記第２の被照明部材に導くための第２の照明空間部と前記第１の照明空間部と前記第２の照明空間部とを仕切る仕切壁とを有するケース体と、
前記第１、第２の被照明部材の視認者側に配置される前面パネルと、
前記ケース体と前記第１、第２の被照明部材との間に設けられる光学部材とを備え、
前記前面パネルは、前記第１の被照明部材を臨ませるための第１の開口窓部と前記第２の被照明部材を臨ませるための第２の開口窓部とが光透過性の基板に設けられた構成となっており、
前記光学部材は、前記第１の照明空間部に対応するように設けられる第１の領域と、前記第２の照明空間部に対応するように設けられる第２の領域と、前記第１の領域と前記第２の領域とを区画するともに前記仕切壁に設けられた位置決め凸部が位置決め固定される区画用長孔とを有し、
前記位置決め凸部は、前記基板に形成された黒色の地色部によって覆われていることを特徴とする照明装置。
【請求項２】
前記光学部材は、拡散部材またはプリズムシートからなることを特徴とする請求項１記載の照明装置。
【請求項３】
前記光学部材には、前記第１の領域と前記第２の領域とを連結する連結部が前記区画用長孔に隣接して設けられていることを特徴とする請求項１または請求項２記載の照明装置。
【発明の詳細な説明】
【技術分野】
【０００１】
本発明は、例えば車両用計器に搭載され、並設状態となっている複数の被照明部材を照明するため照明装置に関するものである。
【背景技術】
【０００２】
従来より、この種の照明装置にあっては、例えば下記特許文献１に記載されているものが知られている。この特許文献１に記載の照明装置は、第１の表示情報（例えば時刻）を表示する第１の表示パネルを少なくとも備えた第１の被照明部材と、第２の表示情報（例えば車両の走行距離）を表示する第２の表示パネルを少なくとも備えた第２の被照明部材とが左右に並設された構成となっている。
【０００３】
また、この場合、第１の被照明部材として、前記第１の表示パネルと、この第１の表示パネルに光を供給するための第１の光源と、第１の表示パネルと第１の光源との間に位置する第１の光拡散板とを設け、第２の被照明部材として、前記第２の表示パネルと、この第２の表示パネルに光を供給するための第２の光源と、第２の表示パネルと第２の光源との間に位置する第２の光拡散板とを設ける構成が採用されている（例えば下記特許文献２参照）。
【先行技術文献】
【特許文献】
【０００４】
【特許文献１】特開２００９−８５６６４号公報
【特許文献２】特開２００９−２８７９３７号公報
【発明の概要】
【発明が解決しようとする課題】
【０００５】
ところで、上述の特許文献２に記載の構成を上述の特許文献１に記載の構成に適用した場合、並設された第１の被照明部材と第２の被照明部材との双方を照明するにあたって、光を拡散させるための光拡散板が被照明部材毎に複数個必要となり（つまり、被照明部材が２つあれば、光拡散板の個数は被照明部材の個数と同数の２つ必要となり）、これにより照明装置を構成する部品点数が多くなるため組付費や部品費が嵩み、コストアップ（コスト上昇）の原因となっていた。
そこで本発明は、前述の課題に対して対処するため、コスト上昇を抑制することが可能な照明装置の提供を目的とするものである。
【課題を解決するための手段】
【０００６】
本発明は、第１の被照明部材と第２の被照明部材とが並設された照明装置において、前記第１の被照明部材に第１の照明光を供給する第１の光源と、前記第２の被照明部材に第２の照明光を供給する第２の光源と、前記第１の照明光を前記第１の被照明部材に導くための第１の照明空間部と前記第２の照明光を前記第２の被照明部材に導くための第２の照明空間部と前記第１の照明空間部と前記第２の照明空間部とを仕切る仕切壁とを有するケース体と、前記第１、第２の被照明部材の視認者側に配置される前面パネルと、前記ケース体と前記第１、第２の被照明部材との間に設けられる光学部材とを備え、前記前面パネルは、前記第１の被照明部材を臨ませるための第１の開口窓部と前記第２の被照明部材を臨ませるための第２の開口窓部とが光透過性の基板に設けられた構成となっており、前記光学部材は、前記第１の照明空間部に対応するように設けられる第１の領域と、前記第２の照明空間部に対応するように設けられる第２の領域と、前記第１の領域と前記第２の領域とを区画するともに前記仕切壁に設けられた位置決め凸部が位置決め固定される区画用長孔とを有し、前記位置決め凸部は、前記基板に形成された黒色の地色部によって覆われていることを特徴とする。
【０００７】
また本発明は、前記光学部材は、拡散部材またはプリズムシートからなることを特徴とする。
【０００８】
また本発明は、前記光学部材には、前記第１の領域と前記第２の領域とを連結する連結部が前記区画用長孔に隣接して設けられていることを特徴とする。
【発明の効果】
【０００９】
本発明によれば、初期の目的を達成でき、コスト上昇を抑制することが可能な照明装置を提供できる。
【図面の簡単な説明】
【００１０】
【図１】本発明の実施形態による照明装置の正面図。
【図２】図１のＡ−Ａ断面図。
【図３】同実施形態による拡散部材の正面図。
【発明を実施するための形態】
【００１１】
以下、図１〜図３に基づいて、本発明を車両用計器に搭載された２つの被照明部材を照明するための照明装置に適用した一実施形態を説明する。
【００１２】
図１、図２において、本実施形態による照明装置は、第１の被照明部材としての第１の表示素子１０と、第２の被照明部材としての第２の表示素子２０と、各表示素子１０、２０の前方側（視認者側）に配置される前面パネル３０と、第１の表示素子１０に第１の照明光Ｌ１を供給する第１の光源４０と、第２の表示素子２０に第２の照明光Ｌ２を供給する第２の光源５０と、第１の光源４０と第２の光源５０とが実装（配設）された回路基板６０と、この回路基板６０と第１、第２の表示素子１０、２０との間に位置するケース体７０と、このケース体７０と第１、第２の表示素子１０、２０との間に設けられる拡散部材（光学部材）８０とを備えており、この場合、第１の表示素子１０と第２の表示素子２０とは上下に並設された状態で、回転計等のアナログ式計器（図示せず）ととともに車両用計器に搭載されているものとする。
【００１３】
第１の表示素子１０は、例えば液晶表示パネルからなり、図示しない各種センサからの検出信号（電気信号）に基づいて、所定の車両情報（ここでは車両の走行速度を示す車速情報とする）を複数の表示セグメント（図示せず）により情報表示するものである。
【００１４】
第２の表示素子２０は、例えば液晶表示パネルからなり、前記検出信号に基づいて、前記所定の車両情報とは異なる他の車両情報（ここでは車両の走行距離を示す走行距離情報とする）を複数の表示セグメント（図示せず）により情報表示するものである。
【００１５】
前面パネル３０は、薄板状に形成された光透過性の基板３１に、第１の表示素子１０を臨ませるための略矩形状の第１の開口窓部３２と第２の表示素子２０を臨ませるための略矩形状の第２の開口窓部３３とが設けられた構成となっており、基板３１の背面には、例えば黒色印刷層からなる地色部３４が印刷形成されている。
【００１６】
そして、照明装置を視認する視認者は、第１の開口窓部３２を通じて前記所定の車両情報を視認することができ、第２の開口窓部３３を通じて前記他の車両情報を視認することができる。
【００１７】
第１の光源４０は、例えば橙色の第１の照明光Ｌ１を発するチップ型発光ダイオードからなり、第１の表示素子１０の背後側となる回路基板６０上に実装され、第１の表示素子１０に第１の照明光Ｌ１を供給する発光体である。
【００１８】
第２の光源５０は、例えば白色の第２の照明光Ｌ２を発するチップ型発光ダイオードからなり、第２の表示素子２０の背後側となる回路基板６０上に実装され、第２の表示素子２０に第２の照明光Ｌ２を供給する発光体である。
【００１９】
回路基板６０は、例えばガラスエポキシ系基材に配線パターン（図示せず）が施された硬質配線基板からなり、第１の表示素子１０や第２の表示素子２０の表示制御を行うマイクロコンピュータからなる制御部（図示せず）と、第１の光源４０と、第２の光源５０と、抵抗、コンデンサ等の各種回路部品（図示せず）とが前記配線パターンに導通接続されている。
【００２０】
ケース体７０は、例えば白色の合成樹脂材料によって形成され、第１の照明光Ｌ１を第１の表示素子１０に導くための空洞領域からなる第１の照明空間部Ｓ１と、第２の照明光Ｌ２を第２の表示素子２０に導くための空洞領域からなる第２の照明空間部Ｓ２とを有している。
【００２１】
図２中、７１は、第１の照明空間部Ｓ１と第２の照明空間部Ｓ２との間の境界部分に位置する立壁形状からなる仕切壁であり、このケース体７０に備えられる仕切壁７１は、第１の照明空間部Ｓ１と第２の照明空間部Ｓ２と仕切る（区画する）ために設けられたものであり、その先端部には拡散部材８０に備えられる後述する区画用長孔に位置決め固定される位置決め凸部７１ａが形成されている。
【００２２】
また、本例のように第１の表示素子１０に供給する第１の照明光Ｌ１の色調が、第２の表示素子２０に供給する第２の照明光Ｌ２の色調と異なる場合、仕切壁７１を設けたことで第１の照明空間部Ｓ１内に導入される第１の照明光Ｌ１が第１の照明空間部Ｓ１に隣接している第２の照明空間部Ｓ２側に侵入するのが抑制され、また同様に仕切壁７１を設けたことで第２の照明空間部Ｓ２内に導入される第２の照明光Ｌ２が第２照明空間部Ｓ２に隣接している第１の照明空間部Ｓ１側に侵入するのが抑制されるため、第１の表示素子１０に供給される第１の照明光Ｌ１と第２の表示素子２０に供給される第２の照明光Ｌ２とが色混ざりする虞がなくなるというメリットがある。
【００２３】
なお、本例の場合、第１の照明空間部Ｓ１は、上述した仕切壁７１と、第１の光源４０を包囲するように回路基板６０と拡散部材８０との間に位置する立壁形状からなる第１の壁部７２とによって形成される空洞領域からなり、仕切壁７１と第１の壁部７２とで拡散部材８０や当該拡散部材８０上に載置される第１の表示素子１０を保持している。
【００２４】
同様に、第２の照明空間部Ｓ２は、上述した仕切壁７１と、第２の光源５０を包囲するように回路基板６０と拡散部材８０との間に位置する立壁形状からなる第２の壁部７３とによって形成される空洞領域からなり、仕切壁７１と第２の壁部７３とで拡散部材８０や当該拡散部材８０上に載置される第２の表示素子２０を保持している。
【００２５】
なお、各照明空間部Ｓ１、Ｓ２の開口幅は、第１、第２の光源４０、５０側となる各照明空間部Ｓ１、Ｓ２の下端側開口と、拡散部材８０側となる各照明空間部Ｓ１、Ｓ２の上端側開口とで、略同一の開口幅となっているが、例えば前記下端側開口の幅が前記上端側開口の幅よりも幅狭となるように、仕切壁７１や第１、第２の壁部７２、７３の形状を立壁形状ではなく傾斜壁形状としてもよい。
【００２６】
拡散部材８０は、例えば乳白色を有する略平板状の光透過性合成樹脂によって形成された単一の光拡散板からなり、第１、第２の表示素子１０、２０の背後側（視認者側とは反対側）に配置される。
【００２７】
この拡散部材８０は、第１の照明空間部Ｓ１に対応するように設けられる略矩形状の第１の拡散部８１と、第２の照明空間部Ｓ２に対応するように設けられる略矩形状の第２の拡散部８２と、第１の拡散部８１と第２の拡散部８２とを区切る（区画する）ためのスリット（長孔形状）からなる区画用長孔８３とを有している。
【００２８】
第１の拡散部８１は、第１の照明空間部Ｓ１の上端側開口を塞ぐように第１の表示素子１０の背面に沿い配設され、第１の照明光Ｌ１を略均一化させるための光拡散部材としての機能を有し、この略均一化された第１の照明光Ｌ１は第１の表示素子１０側に導かれる構成となっている。なお、第１の拡散部８１は、後述する特許請求の範囲における第１の領域に相当する。
【００２９】
第２の拡散部８２は、第２の照明空間部Ｓ２の上端側開口を塞ぐように第２の表示素子２０の背面に沿い配設され、第２の照明光Ｌ２を略均一化させるための光拡散部材としての機能を有し、この略均一化された第２の照明光Ｌ２は第２の表示素子２０側に導かれる構成となっている。なお、第２の拡散部８２は、後述する特許請求の範囲における第２の領域に相当する。また、第２の拡散部８２の板厚は第１の拡散部８１の板厚と略同一であることが望ましいが、必要に応じて第２の拡散部８２の板厚を第１の拡散部８１の板厚と異ならせてもよい。
【００３０】
区画用長孔８３は、その開口幅が位置決め凸部７１ａの外形形状よりも若干、大き目に形成されており、この場合、第１の拡散部８１と第２の拡散部８２とを区切るだけではなく、仕切壁７１に設けられた位置決め凸部７１ａが位置決め固定される位置決め孔部としての機能を兼ね備えている。つまり、このことは、位置決め凸部７１ａが位置決め孔部である区画用長孔８３によって位置決め固定されることで、拡散部材８０とケース体７０とが位置決め固定されることを意味している。
【００３１】
また、拡散部材８０には、第１の拡散部８１と第２の拡散部８２とを連結する（繋ぐ）ための一対の連結部８４が区画用長孔８３に隣接して設けられているため、拡散部材８０を単一の光拡散板として構成することが可能となる。
【００３２】
以上のように、本実施形態では第１の照明光Ｌ１を第１の表示素子１１に導くための第１の照明空間部Ｓ１と第２の照明光Ｓ２を第２の表示素子１２に導くための第２の照明空間部Ｓ２と第１の照明空間部Ｓ１と第２の照明空間部Ｓ２とを仕切る仕切壁７１を有するケース体７０と、このケース体７０と第１、第２の表示素子１０、２０との間に設けられる拡散部材８０とを備え、拡散部材８０は、第１の照明空間部Ｓ１に対応するように設けられる第１の拡散部８１と、第２の照明空間部Ｓ２に対応するように設けられる第２の拡散部８２と、第１の拡散部８１と第２の拡散部８２とを区画するための区画用長孔８３とを有しているものである。また、拡散部材８０には、第１の拡散部８１と第２の拡散部８２とを連結する連結部８４が区画用長孔８３に隣接して設けられているものである。
【００３３】
従って、第１の拡散部８１と第２の拡散部８２と連結部８４とで単一の光拡散板である拡散部材８０が構成され、並設された第１の表示素子（第１の被照明部材）１０と第２の表示素子（第２の被照明部材）２０とを当該拡散部材８０を用いて照明することができ、従来のように光を拡散させるための光拡散板を表示素子（被照明部材）毎に、個別に（つまり複数個）設けることが不要となるため、照明装置を構成する部品点数が削減可能となり、コスト上昇を抑制することが可能となる。
【００３４】
また本実施形態では、ケース体７０と各表示素子１０、２０との間に単一の拡散部材８０を設けた例について説明したが、例えば拡散部材８０に代えて（単一の）プリズムシートを採用した場合であっても、前記実施形態と同様の作用効果を得ることができる。例えばプリズムシートとしては、断面が三角形状のプリズム列が一定間隔で形成された輝度上昇用フィルムを適用することができ。例えば前記プリズム列は、各表示素子１０、２０側を向く面に設けられている。
【符号の説明】
【００３５】
１０    第１の表示素子（第１の被照明部材）
２０    第２の表示素子（第２の被照明部材）
３０    前面パネル
４０    第１の光源
５０    第２の光源
６０    回路基板
７０    ケース体
７１    仕切壁
７１ａ  位置決め凸部
７２    第１の壁部
７３    第２の壁部
８０    拡散部材（光学部材）
８１    第１の領域（第１の拡散部）
８２    第２の領域（第２の拡散部）
８３    区画用長孔
８４    連結部
Ｌ１    第１の照明光
Ｌ２    第２の照明光
Ｓ１    第１の照明空間部
Ｓ２    第２の照明空間部
【図１】
0006464852.tif 000002
【図２】
0006464852.tif 000003
【図３】
0006464852.tif 000004